(57)【要約】【課題】電気光学パネルを搭載した筐体に抜き部分を形成した設計を行った場合でも、新たな部品を追加することなく筐体の強度を高めることのできる電気光学装置、および電子機器を提供すること。【解決手段】液晶装置１００において、金属製の筐体４０は、前端側が側板部の形成されていない開放端になっており、底板部４１には、左右方向に延びた切り抜き部分４７が形成されている。筐体４０において、切り抜き部分４７より前端側には左右方向に延びるブリッジ部４８が残っており、左右両側に位置する側板部４２、４４はブリッジ部４８を介して連結されている。液晶パネル１０の素子基板１１は、張り出し部分１１がブリッジ部４８により支持され、フレキシブル基板５０はブリッジ部４８に固定されている。【選択図】図１
2009008875.tif 000002
【特許請求の範囲】
【請求項１】
電気光学パネルと、該電気光学パネルが底板部に重ねて配置された箱状の筐体と、を有する電気光学装置であって、
前記底板部に、当該底板部の一端に沿って延びるブリッジ部を残すように切り抜き部分が形成され、
前記ブリッジ部は、当該ブリッジ部の前記一端に沿う方向の両端で上方に屈曲した一対の立ち上がり部と、該一対の立ち上がり部の上端同士を繋ぐ平板部とを備え、
前記電気光学パネルは、一部が前記ブリッジ部の前記平板部に支持されていることを特徴とする電気光学装置。
【請求項２】
前記筐体は、前記一端側の少なくとも一部が側板部の形成されていない開放端になっていることを特徴とする請求項１に記載の電気光学装置。
【請求項３】
前記底板部と前記立ち上がり部との間の屈曲部分には補強用の凹凸が形成されていることを特徴とする請求項２に記載の電気光学装置。
【請求項４】
前記電気光学パネルは、第１基板と、該第１基板の基板縁から張り出す張り出し部分をもって当該第１基板と貼り合わされた第２基板とを備え、
当該第２基板の前記張り出し部分が前記ブリッジ部の前記平板部に支持されていることを特徴とする請求項１乃至３の何れかに記載の電気光学装置。
【請求項５】
前記筐体上には、前記一端側にＵ字状の折り曲げ部分を向けて折り重ねられたフレキシブル基板が前記底板部の延在方向に沿って配置され、
当該フレキシブル基板の一部は、前記ブリッジ部に接着固定されていることを特徴とする請求項１乃至４の何れか一項に記載の電気光学装置。
【請求項６】
前記ブリッジ部は、前記フレキシブル基板の前記折り曲げ部分の内側に位置していることを特徴とする請求項５に記載の電気光学装置。
【請求項７】
前記フレキシブル基板は、前記ブリッジ部の前記平板部の下面で接着固定されていることを特徴とする請求項６に記載の電気光学装置。
【請求項８】
請求項１乃至７の何れか一項に記載の電気光学装置を備えていることを特徴とする電子機器。
【発明の詳細な説明】
【技術分野】
【０００１】
本発明は、電気光学パネルが箱状の筐体の底板部に重ねて配置された電気光学装置、およびこの電気光学装置を備えた電子機器に関するものである。
【背景技術】
【０００２】
携帯電話機や情報携帯端末（ＰＤＡ：Personal Digital Assistants）などの電子機器の表示部には、透過型あるいは半透過反射型の液晶パネル（電気光学パネル）および照明装置（バックライト装置）を備えた液晶装置（電気光学装置）が広く用いられている。かかる液晶装置においては、一般に、照明装置および電気光学パネルが箱状の筐体内に重ねて配置された構造が採用されている（特許文献１参照）。
【特許文献１】特開２００４−２４０２３９号公報
【発明の開示】
【発明が解決しようとする課題】
【０００３】
このような液晶装置、特に携帯電話機や情報携帯端末などの携帯型電子機器に搭載される液晶装置では、軽量化、薄型化、低コスト化が求められている。このため、筐体の一部を切り欠いて筐体を軽量化し、液晶装置の軽量化を図ることが好ましい。また、筐体の底板部の一部を切り抜いて、切り抜き部分内を駆動用ＩＣなどの一部が入り込んだ構造を採用し、液晶装置の薄型化を図ることが好ましい。さらに、液晶装置の組み立て工程の効率化などを図るという観点から、液晶パネルおよび照明装置を筐体内に配置するとともに、液晶パネルおよび照明装置に接続されたフレキシブル基板を引き回すには、筐体の前端側が側板部の形成されていない開放端になっているとともに、前記底板部には、左右方向に延びる切り抜き部分が形成されていることが好ましい。
【０００４】
しかしながら、液晶装置、特に携帯電話機や情報携帯端末などの携帯型電子機器に搭載される液晶装置には、落下時の衝撃にも十分耐え得る耐衝撃性能が求められるが、筐体に切り抜き部分を形成した設計や開放端を設けた設計を採用すると、筐体の強度が低下する。その結果、液晶装置に強い衝撃が加わった際に筐体が変形し、筐体内で液晶パネルが変位する結果、液晶パネルが損傷するという問題点がある。かといって、筐体の補強に新たな部品を追加すると、コスト、サイズ、重量が増大する割には補強効果が小さいという問題点がある。
【０００５】
以上の問題点に鑑みて、本発明の課題は、電気光学パネルを搭載した筐体に抜き部分を形成した設計などを行った場合でも、新たな部品を追加することなく筐体の強度を高めることのできる電気光学装置、およびこの電気光学装置を備えた電子機器を提供することにある。
【課題を解決するための手段】
【０００６】
上記課題を解決するために、本発明では、電気光学パネルと、該電気光学パネルが底板部に重ねて配置された箱状の筐体と、を有する電気光学装置であって、前記底板部に、当該底板部の一端に沿って延びるブリッジ部を残すように切り抜き部分が形成され、前記ブリッジ部は、当該ブリッジ部の前記一端に沿う方向の両端で上方に屈曲した一対の立ち上がり部と、該一対の立ち上がり部の上端同士を繋ぐ平板部とを備え、前記電気光学パネルは、一部が前記ブリッジ部の前記平板部に支持されていることを特徴とする電気光学装置。
【０００７】
本発明において、前記筐体では、底板部に切り抜き部分が形成されているため、筐体の軽量化を図ることができる。また、底板部に形成した切り抜き部分内に駆動用ＩＣなどの一部を入り込んだ構造を採用することができるので、電気光学装置の薄型化を図ることができる。さらに、底板部に対して切り抜き部分を形成した場合でもブリッジ部を残してあるので、筐体の強度が高い。従って、電気光学装置に強い衝撃が加わった際に筐体が変形しないので、筐体内で電気光学パネルが変位せず、電気光学パネルが損傷するという事態を回避することができる。しかも、筐体の補強に新たな部品を追加した構成と違って、筐体の構造を変更しただけであるので、コスト、サイズ、重量を増大させずに、大きな補強効果を得ることができる。また、前記ブリッジ部は、前記底板部の左右両端で上方に屈曲した一対の立ち上がり部と、該一対の立ち上がり部の上端同士を繋ぐ平板部とを備えているため、電気光学パネルが底板部から浮いている場合でもブリッジ部で支持しやすいという利点がある。
【０００８】
本発明において、前記筐体は、前記一端側の少なくとも一部が側板部の形成されていない開放端になっていることが好ましい。このように構成すると、前記筐体は、一端側の少なくとも一部が開放端になっているため、筐体の軽量化を図ることができ、この場合でも、前記筐体にはブリッジ部を残してあるので、筐体の強度が高い。また、前記筐体は、一端側の少なくとも一部が開放端になっているため、電気光学装置の組み立て工程において、電気光学パネルを筐体内に配置するとともに、電気光学パネルに接続されたフレキシブル基板を引き回す作業が容易である。
【０００９】
本発明において、前記底板部と前記立ち上がり部との間の屈曲部分には補強用の凹凸が形成されていることが好ましい。このように構成すると、ブリッジ部の強度を高めることができ、筐体さらには電気光学装置の強度を向上することができる。
【００１０】
本発明において、前記電気光学パネルは、第１基板と、該第１基板の基板縁から張り出す張り出し部分をもって当該第１基板と貼り合わされた第２基板とを備え、当該第２基板の前記張り出し部分が前記ブリッジ部の前記平板部に支持されている構成を採用することができる。このように構成すると、電気光学パネルのうち、強度の低い箇所をブリッジ部で補強することができ、電気光学パネルさらには電気光学装置の強度を向上することができる。
【００１１】
本発明において、前記筐体上には、前記一端側にＵ字状の折り曲げ部分を向けて折り重ねられたフレキシブル基板が前記底板部の延在方向に沿って配置され、当該フレキシブル基板の一部は、前記ブリッジ部に接着固定されていることが好ましい。このように構成すると、折り重ねたフレキシブル基板がその形状復帰力で広がろうとするのを防止することができる。
【００１２】
本発明において、前記ブリッジ部は、前記フレキシブル基板の前記折り曲げ部分の内側に位置している構成を採用することができる。この場合、前記フレキシブル基板は、例えば、前記ブリッジ部の前記平板部の下面で接着固定されている構成を採用することができる。このように構成すると、フレキシブル基板が折り重ねられている部分をブリッジ部の収納部分として有効利用することができ、ブリッジ部が邪魔にならないという利点がある。
【００１３】
本発明に係る電気光学装置は、例えば、携帯電話機や情報携帯端末などの電子機器において、表示部を構成するのに用いられる。
【発明を実施するための最良の形態】
【００１４】
図面を参照して、本発明の実施の形態を説明する。なお、以下の説明で参照する図においては、各層や各部材を図面上で認識可能な程度の大きさとするため、各層や各部材毎に縮尺を異ならしめてある。また、以下の説明では、筐体の底板部において交差する２方向を「前後方向」および「左右方向」として説明する。また、底板部の「前後方向」および「左右方向」のうち、「前側」を本発明における「底板部の一端」および「底板部の一端側」として説明する。
【００１５】
（全体構成）
図１は、本発明を適用した液晶装置（電気光学装置）の構成を模式的に示す分解斜視図である。図２（ａ）、（ｂ）は各々、本発明を適用した液晶装置を、図１に示すＸ−Ｘ′線に相当する位置で切断した様子を示す斜視図、およびその断面図である。なお、図１には、偏光板などの図示を省略してある。
【００１６】
図１および図２（ａ）、（ｂ）において、本形態の液晶装置１００は概ね、バックライト装置としての照明装置２０と、この照明装置２０の上面に重ねて配置された透過型あるいは半透過反射型の液晶パネル１０（電気光学パネル）と、液晶パネル１０および照明装置２０が樹脂製のフレーム３０を介して搭載される箱状の筐体４０とを有している。本形態の液晶装置１００では、筐体４０の内側に照明装置２０および液晶パネル１０を収納した状態で、液晶パネル１０の上面は、液晶パネル１０の画像表示領域と重なる領域に開口部を備えた上枠（図示せず）で覆われる。
【００１７】
液晶パネル１０は、矩形の平面形状を有しており、ガラス基板に画素電極などが形成された素子基板１１（第２基板）と、素子基板１１に対して所定の隙間を介して対向配置された対向基板１２（第１基板）と、この対向基板１２と素子基板１１との間に保持された液晶層（図示せず）とを備えている。本形態では、対向基板１２が表示光の出射側に配置され、素子基板１１は照明装置２０の側に配置されている。対向基板１２は、共通電極やカラーフィルタが形成されたガラス基板からなり、液晶装置１００において、いわゆるフリンジフィールドスイッチング（以下、ＦＦＳ（Fring Field Switching）という）方式やインプレンスイッチング（以下、ＩＰＳ(In Plane Switching)という）方式等が採用されている場合、共通電極は素子基板１１の側に形成される。
【００１８】
素子基板１１において、対向基板１２の縁から前側への張り出し部分１１０の上面には駆動用ＩＣ１４が実装されているとともに、かかる張り出し部分１４０の端部にはフレキシブル基板５０の第１面５１が接続されている。フレキシブル基板５０は、帯状に延びた接続部分５８が形成され、接続部分５８の端部は外部回路に接続されている。液晶パネル１０の上面には上偏光板１７が重ねて配置され、液晶パネル１０の下面と照明装置２０の導光板２１との間には下偏光板１８が配置されている。
【００１９】
照明装置２０は、液晶パネル１０に対して重ねて配置された矩形の導光板２１と、面実装タイプのＬＥＤからなる発光素子２２と、発光素子２２に対する駆動用ＩＣ２３とを備えている。本形態において、液晶パネル１０に一方端が接続されているフレキシブル基板５０は両面基板であり、発光素子２２および駆動用ＩＣ２３は、フレキシブル基板５０の第２面５２に実装されている。ここで、発光素子２２は、面実装タイプのＬＥＤであり、発光素子２２の側面がフレキシブル基板５０に実装される。このため、発光素子２２の発光面２２０は、フレキシブル基板５０の第２面５２に垂直であり、フレキシブル基板５０と平行な方向に出射光軸を向けている。
【００２０】
導光板２１は、対向基板１２と略同一サイズの透光性の樹脂板であり、４つの側端面のうち、液晶パネル１０において素子基板１１が対向基板１２から張り出している前側の側端面が入射端面２１０とされる。このため、発光素子２２は、発光面２２０が導光板２１の入射端面２１０に向くように配置されている。導光板２１では、入射端面２１０から入射した光が導光板２１内を進行しながら上面から光が出射されるようになっており、本形態において、導光板２１の下面には反射シート２４が重ねて配置されている。導光板２１の上面には散乱板などの光学シートが重ねて配置される場合や、導光板２１自身に散乱性や輝度分布を均一化するための凹凸やドットパターンが形成される場合もある。
【００２１】
フレーム３０は、コの字状の平面形状になっており、前端側が開放端になっている。フレーム３０において、３つの枠部３１、３２、３３の内側には、液晶パネル１０を保持する段部３６が形成されている。
【００２２】
筐体４０は、厚さが０．１５ｍｍ程度の薄い金属板、例えばＳＵＳ板などに対するプレス加工などにより形成され、上面が開口する矩形の箱状になっている。かかる筐体４０の底板部４１の上には、コの字形状のフレーム３０が保持されるとともに、フレーム３０の内側に反射シート２４、導光板２１、下偏光板１８、液晶パネル１０および上偏光板１７が順に重ねて配置されている。
【００２３】
（筐体４０および照明装置の詳細な構成）
図３（ａ）、（ｂ）、（ｃ）は各々、本発明を適用した液晶装置に用いた筐体の端部を斜め上方からみた斜視図、当該筐体の端部を斜め下方からみた斜視図、および当該筐体の端部に発光素子を配置した状態を斜め上方からみた斜視図である。図４（ａ）、（ｂ）、（ｃ）は各々、本発明を適用した液晶装置に用いた筐体にバネ部を形成するための構成を示す説明図である。
【００２４】
図１、図２（ａ）、（ｂ）および図３（ａ）、（ｂ）、（ｃ）に示すように、本形態において、筐体４０は、底板部４１と、底板部４１の３方（右側、後側、左側）の辺部で起立する側板部４２、４３、４４とを備えており、発光素子２２やフレキシブル基板５０が配置されている前端側（本発明における一端側）は、側板部の形成されていない開放端になっている。また、底板部４１には、前端寄りの位置に、左右方向（矢印Ｗで示す方向）に長辺が延びた矩形窓状の切り抜き部分４７が形成されている。切り抜き部分４７は、底板部４１の左右方向において、その略全体にわたって形成されており、切り抜き部分４７の長手方向の左右両側には、底板部４１が狭い幅寸法で残っているだけである。
【００２５】
また、筐体４０において、切り抜き部分４７より前端側に隣接する部分は、底板部４１を帯状に残してなるブリッジ部４８になっており、筐体４０の左右方向において、切り抜き部分４７を挟んで対向する一対の側板４２、４４はブリッジ部４８を介して連結されている。
【００２６】
ブリッジ部４８は、底板部４１から上方に屈曲した立ち上がり部４８１を両端部の各々に備えており、ブリッジ部４８は、立ち上がり部４８１の上端部において底板部４１と平行に屈曲することにより平板部４８４が形成されている。また、ブリッジ部４８の長手方向（筐体４０の左右方向）の両端部において、底板部４１と立ち上がり部４８１との間の屈曲部分には補強用の凹凸が形成されており、本形態においては、底板部４１と立ち上がり部４８１との間の屈曲部分を内側からみると、補強用のディンプルと称せられる凹部４８２が２箇所に形成されている。かかる形状も所定形状の金属板をプレス加工して筐体４０を製造する際、同時に形成される。
【００２７】
さらに、筐体４０において、底板部４１の前端側は、左右方向の略全体が上方に折り曲げられ、導光板２１の入射端面２１０に対向する位置には、入射端面２１０の長手方向（筐体４０の左右方向）に帯状に延びた帯状板部４５が起立している。ここで、帯状板部４５は、長手方向において所定の間隔をあけた複数個所が、導光板２１に向けて突出するように変形したバネ部４６になっており、かかる複数のバネ部４６は各々、以下に説明するように、フレキシブル基板５０に実装された複数の発光素子２２を導光板２１に向けて押圧する。
【００２８】
本形態において、導光板２１は、筐体４０の後端で起立している側板部４３に当接して、底板部４１のうち、バネ部４６から発光素子２２の長さ寸法と略同一の距離だけ後方に離れた箇所に位置決めされるようになっている。このため、発光面２２０が導光板２１の入射端面２１０に向くように、フレキシブル基板５０に実装された発光素子２２を導光板２１の入射端面２１０とバネ部４６との間に挿入すると、バネ部４６は、発光素子２２において発光面２２０とは反対側の背面に直接、あるいは絶縁シートなどの絶縁層（図示せず）を介して当接する。その際、バネ部４６および帯状板部４５の全体がわずかに外側に撓むため、その形状復帰力により、発光素子２２は、バネ部４６により導光板２１に向けて押圧される。その結果、発光素子２２の発光面２２０は導光板２１の入射端面２１０に当接することになり、発光素子２２の発光面２２０と導光板２１の入射端面２１０との間には隙間が発生しない。
【００２９】
このように本形態では、筐体４０は金属板からなり、この筐体４０には、発光素子２２を導光板２１に向けて押圧して発光面２２０を導光板２１の入射端面２１０に当接させるバネ部４６が折り曲げ形成されている。しかも、バネ部４６は、発光素子２２において発光面２２０とは反対側に位置する背面を押圧している。このため、組み立て工程において多大な手間をかけずに、発光素子２２の発光面２２０を導光板２１の入射端面２１０に隙間なく確実に当接させることができ、輝度の高い照明装置２０を備えた液晶装置１００を効率よく製造することができる。また、バネ部４６により発光素子２２を押圧して発光素子２２の発光面２２０を導光板２１の入射端面２１０に当接させると衝撃が加わっても、発光素子２２の位置がずれないという利点もある。
【００３０】
また、バネ部４６は、金属製の筐体４０の一部を折り曲げ形成したものであり、発光素子２２を押圧することを目的に新たな部品を追加したものではないので、照明装置２０のコストの増大を抑えることができるとともに、液晶装置１００の重量増加を避けることができる。しかも、バネ部４６は、金属製の筐体４０の一部を折り曲げ形成したものであるため、筐体４０に対するプレス加工により容易に形成することができ、照明装置２０の低コストを図ることができる。
【００３１】
また、発光素子２２は、フレキシブル基板５０に実装されているため、筐体４０に形成したバネ部４６によって発光素子２２を導光板２１に向けて押圧した際、フレキシブル基板５０が適度に変形するので、発光素子２２の発光面２２０を導光板２１の入射端面２１０に確実に当接させることができる。
【００３２】
かかるバネ構造も、所定形状の金属板をプレス加工して筐体４０を製造する際、同時に形成される。すなわち、図４（ａ）に示すように、筐体４０の底板部４１の前端部に所定の間隔で矩形の開口４５０をプレス加工により切り抜いた後、図４（ｂ）に示すように、プレス加工により、開口４５０の一部にかかる箇所で筐体４０の底板部４１の前端部を上方に折り曲げて帯状板部４５を起立させるとともに、図４（ｃ）に示すように、プレス加工により、帯状板部４５のうち、開口４５０に対応する箇所を導光板２１が配置される後側に突出させ、バネ部４６を形成する。従って、帯状板部４５と底板部４１との屈曲部分では、バネ部４６の下方部分が切り抜かれた構造になっている。このように構成すると、底板部４１から帯状板部４５を容易に起立させる際のプレス加工を容易に行うことができるとともに、帯状板部４５のうち、開口４５０に対応する箇所を導光板２１が配置される側に突出させてバネ部４６を形成するプレス加工を容易に行うことができる。
【００３３】
また、本形態では、筐体４０に形成したブリッジ部４８は、液晶パネル１０の支持に利用される。すなわち、液晶パネル１０の素子基板１１は、その張り出し部分１１０がブリッジ部４８と重なっており、面で支持されている。ここで、ブリッジ部４８と素子基板１１とは粘着テープなどにより接着固定してもよい。
【００３４】
さらに、本形態では、筐体４０に形成したブリッジ部４８は、フレキシブル基板５０の固定に利用される。すなわち、筐体４０上において、フレキシブル基板５０は、前端側にＵ字状の折り曲げ部分５３を向けて折り重ねられた状態で底板部４１の延在方向に沿って配置されており、この状態で、フレキシブル基板５０は、元の形状に戻ろうとする力が作用しているので、フレキシブル基板５０をブリッジ部４８に接着することにより、フレキシブル基板５０の折り曲げ部分５３が開こうとするのを防止する。すなわち、フレキシブル基板５０において折り曲げ部分５３の下側に位置する部分は、第１面５１がブリッジ部４８の下面に重なっており、本形態では、ブリッジ部４８に対して、フレキシブル基板５０の折り曲げ部分５３の下側に位置する部分を両面粘着テープなどにより接着固定する。
【００３５】
また、本形態において、ブリッジ部４８は、フレキシブル基板５０の折り曲げ部分５３の内側に位置しており、フレキシブル基板５０が折り重ねられている部分をブリッジ部４８の収納部分として有効利用することができ、ブリッジ部４８が邪魔にならない。
【００３６】
（液晶装置１００の組み立て方法）
本形態の液晶装置１００を組み立てるには、例えば以下の工程が行われる。まず、フレキシブル基板５０を液晶パネル１０に接続するとともに、フレキシブル基板５０に発光素子２２および駆動用ＩＣ２３を実装しておく。次に、筐体４０に対してフレーム３０を搭載した後、フレーム３０の内側において、筐体４０の底板部４１に反射シート２４および導光板２１を配置する。
【００３７】
次に、フレキシブル基板５０において発光素子２２が実装されている側を、筐体４０の底板部４１の切り抜き部分４７を通して下方から上方に引き出した後、発光素子２２を導光板２１の入射端面２１０とバネ部４６との間に装着する。
【００３８】
次に、フレキシブル基板５０とブリッジ部４８の平板部４８４の下面とを両面粘着テープなどにより接着固定した後、ブリッジ部４８を上下から挟むようにしてフレキシブル基板５０を折り返し、下偏光板１８、液晶パネル１０および上偏光板１７を導光板２１の上に重ねる。次に、液晶パネル１０の上方を被うように上枠が取り付けられる。
【００３９】
（本形態の主な効果）
以上説明したように、本形態の液晶装置１００において、金属製の筐体４０は、前端側が側板部の形成されていない開放端になっているとともに、底板部４１には、左右方向に延びた切り抜き部分４７が形成されている。このため、筐体４０の軽量化を図ることができる。また、図２（ｂ）に示すように、底板部４１に形成した切り抜き部分４７内に駆動用ＩＣ２３などの一部を入り込んだ構造を採用することができるので、液晶装置１００の薄型化を図ることができる。さらに、液晶装置１００の組み立て工程において、液晶パネル１０および照明装置２０を筐体４０内に配置するとともに、液晶パネル１０に接続されたフレキシブル基板５０を引き回す作業が容易である。
【００４０】
また、本形態では、筐体４０の前端側を側板部の形成されていない開放端とし、底板部４１に対して左右方向に延びる切り抜き部分４７を形成した場合でも、切り抜き部分４７より前端側には左右方向に延びるブリッジ部４８が残っており、左右両側に位置する側板部４２、４４はブリッジ部４８を介して連結されている。また、底板部４１と立ち上がり部４８１との間の屈曲部分には補強用の凹部４８２が形成されているので、ブリッジ部４８の強度が高い。さらに、バネ部４６を構成するにあたって、筐体４０の幅方向の略全体にわたって延びるように帯状板部４５を底板部４１から起立させ、この帯状板部４５の部分的に導光板２１に向けて突出させて複数のバネ部４６が繋がった状態にしてある。このため、帯状板部４５が筐体４０に対する補強リブとして機能する。従って、筐体４０の強度が高い。それ故、液晶装置１００に強い衝撃が加わった際に筐体４０が変形しないので、筐体４０内で液晶パネル１０が変位せず、液晶パネル１０が損傷するという事態を回避することができる。しかも、筐体４０の補強に新たな部品を追加した構成と違って、筐体４０の構造を変更しただけであるので、コスト、サイズ、重量を増大させずに、大きな補強効果を得ることができる。
【００４１】
また、ブリッジ部４８において、平板部４８２は底板部４１より上方に位置する。このため、素子基板１１やフレキシブル基板５０など、筐体４０の底板部４１から浮いた位置にある部材をブリッジ部４８で支持するのに適している。
【００４２】
すなわち、液晶パネル１０の素子基板１１は、筐体４０の底板部４１から浮いた位置にあり、張り出し部分１１０はブリッジ部４８により支持されている。このため、液晶装置１００に対して衝撃試験を行っても、液晶装置１００では筐体４０、フレーム３０、液晶パネル１０、照明装置２０、フレキシブル基板５０が一体になっており、相対的な変位が起こらないので、液晶装置１００内の特定箇所に応力が集中しない。それ故、本形態の液晶装置１００によれば、衝撃が加わっても、液晶パネル１０において、素子基板１１における対向基板１２からの張り出し部分１１０での割れ、この張り出し部分１１０の端部で対向基板１２の基板縁が重なっている箇所での割れ、駆動用ＩＣ１４の割れなどが発生しない。
【００４３】
また、Ｕ字状に折り曲げたフレキシブル基板５０も、筐体４０の底板部４１から浮いた位置にあるが、ブリッジ部４８に固定されているので、フレキシブル基板５０が元の形状に戻ろうとするのを防止できる。それ故、フレキシブル基板５０が液晶パネル１０から剥がれることがない。しかも、筐体４０がＳＵＳなどの金属製であるため、樹脂製の筐体にフレキシブル基板５０を接着する場合と比較して、ブリッジ部４８とフレキシブル基板５０との接着が容易で、接着強度も高い。
【００４４】
［電子機器への搭載例］
次に、上述した実施形態に係る液晶装置１００を適用した電子機器について説明する。図５（ａ）に、液晶装置１００を備えた携帯電話機の構成を示す。携帯電話機３０００は、複数の操作ボタン３００１及びスクロールボタン３００２、並びに表示ユニットとしての液晶装置１００を備える。スクロールボタン３００２を操作することによって、液晶装置１００に表示される画面がスクロールされる。図５（ｂ）に、液晶装置１００を適用した情報携帯端末（ＰＤＡ：Personal Digital Assistants）の構成を示す。情報携帯端末４０００は、複数の操作ボタン４００１及び電源スイッチ４００２、並びに表示ユニットとしての液晶装置１００を備える。電源スイッチ４００２を操作すると、住所録やスケジュール帳といった各種の情報が液晶装置１００に表示される。
【００４５】
なお、液晶装置１００が適用される電子機器としては、図５に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した液晶装置１００が適用可能である。
【図面の簡単な説明】
【００４６】
【図１】本発明を適用した液晶装置（液晶表示装置）の構成を模式的に示す分解斜視図である。
【図２】（ａ）、（ｂ）は各々、本発明を適用した液晶装置を、図１に示すＸ−Ｘ′線に相当する位置で切断した様子を示す斜視図、およびその断面図である。
【図３】（ａ）、（ｂ）、（ｃ）は各々、本発明を適用した液晶装置に用いた筐体の端部を斜め上方からみた斜視図、当該筐体の端部を斜め下方からみた斜視図、および当該筐体の端部に発光素子を配置した状態を斜め上方からみた斜視図である。
【図４】（ａ）、（ｂ）、（ｃ）は各々、本発明を適用した液晶装置に用いた筐体にバネ部を形成するための構成を示す説明図である。
【図５】本発明に係る液晶装置を用いた電子機器の説明図である。
【符号の説明】
【００４７】
１０・・液晶パネル（電気光学パネル）、２０・・照明装置、２１・・導光板、２２・・発光素子、３０・・フレーム、４０・・筐体、４１・・筐体の底板部、４６・・発光素子に対するバネ部、４７・・筐体の底板部に形成した切り抜き部、４８・・筐体のブリッジ部、５０・・フレキシブル基板、１００・・液晶装置（電気光学装置）、４８２・・補強用の凹部
【図１】
2009008875.tif 000003
【図２】
2009008875.tif 000004
【図３】
2009008875.tif 000005
【図４】
2009008875.tif 000006
【図５】
2009008875.tif 000007